(57)【要約】【課題】撮影の自由度を向上させるとともに、背景画像を合成する際に削除する色相を変更可能とするカラオケ自動レコーディング装置を提供する。【解決手段】歌唱者を撮影するカメラ７と、カメラ７が撮影した映像と合成するための背景画像を記憶したＨＤＤ６と、カメラ７が撮影した映像とＨＤＤ５に記憶した背景画像とを合成するＣＰＵ２と、ＣＰＵ２が合成した合成映像に伴奏音および歌唱音と含んだデータをＤＶＤに記録するＤＶＤドライブ６と、を備えているカラオケ自動レコーディング装置１において、カメラ７が、歌唱者に対して自動的に焦点を合わせる自動焦点機能を有し、カメラ７の撮影条件を設定する操作部１０を備え、ＣＰＵ２が、クロマキー合成時に削除色相を任意に変更することができるように構成する。【選択図】図１
2012008451.tif 000002
【特許請求の範囲】
【請求項１】
伴奏音に合わせて歌唱している人物を撮影するカメラと、前記カメラが撮影した映像のうち前記人物部分と合成するための背景画像を記憶した記憶手段と、前記カメラが撮影した映像のうちの前記人物部分と前記記憶手段に記憶した背景画像とを合成する合成手段と、前記合成手段が合成した合成映像に前記伴奏音および前記人物の歌唱音とを含んだデータを記録媒体に記録するカラオケ映像記録手段と、を備えているカラオケ自動レコーディング装置であって、
前記カメラが、前記人物に対して自動的に焦点を合わせる自動焦点機能を有し、
前記カメラの撮影条件を設定する撮影条件設定手段を備え、
前記合成手段が、クロマキー合成時に削除色相を任意に変更することができるように構成されている
ことを特徴とするカラオケ自動レコーディング装置。
【発明の詳細な説明】
【技術分野】
【０００１】
本発明は、カラオケの伴奏音に合わせて歌っている人物を撮影して、任意の背景画面と合成して記録媒体に記録するカラオケ自動レコーディング装置に関するものである。
【背景技術】
【０００２】
例えば、特許文献１〜３に記載されたカラオケ装置などのように、演奏されるカラオケ曲に合わせて使用者（人物）が歌唱している姿に任意の背景画像を合成した歌唱音および演奏音（伴奏音）を含んだ映像データを光学式ディスクなどに記録する機能を有するものが提案されている。そして、使用者は、映像データを記録した光学式ディスクを後で再生して楽しむことができる。
【先行技術文献】
【特許文献】
【０００３】
【特許文献１】特開平５−２３６４２３号公報
【特許文献２】特開２０００−２９４７２号公報
【特許文献３】特開２００３−１７７７６４号公報
【発明の概要】
【発明が解決しようとする課題】
【０００４】
しかしながら、上述したカラオケ装置などでは、使用者を撮影するカメラが固定式であり、例えば歌いながら踊っている場合などで使用者がカメラ撮影範囲を外れてしまうと映像データに自身が映らなくなってしまうなど撮影条件の自由度が低いという問題があった。
【０００５】
また、使用者と背景画像を合成する際に削除する色相は固定されていることが多く使用者の服装や背景画像によっては合成した映像の品質が低下してしまうという問題があった。
【０００６】
そこで、本発明は、撮影の自由度を向上させるとともに、背景画像を合成する際に削除する色相を変更可能とするカラオケ自動レコーディング装置を提供することを課題とする。
【課題を解決するための手段】
【０００７】
上記課題を解決するためになされた請求項１に記載の発明は、伴奏音に合わせて歌唱している人物を撮影するカメラと、前記カメラが撮影した映像のうち前記人物部分と合成するための背景画像を記憶した記憶手段と、前記カメラが撮影した映像のうちの前記人物部分と前記記憶手段に記憶した背景画像とを合成する合成手段と、前記合成手段が合成した合成映像に前記伴奏音および前記人物の歌唱音とを含んだデータを記録媒体に記録するカラオケ映像記録手段と、を備えているカラオケ自動レコーディング装置であって、前記カメラが、前記人物に対して自動的に焦点を合わせる自動焦点機能を有し、前記カメラの撮影条件を設定する撮影条件設定手段を備え、前記合成手段が、クロマキー合成時に削除色相を任意に変更することができるように構成されていることを特徴とするカラオケ自動レコーディング装置である。
【発明の効果】
【０００８】
以上説明したように請求項１に記載の発明によれば、カメラが、人物に対して自動的に焦点を合わせる自動焦点機能を有し、カメラの撮影条件を設定する撮影条件設定手段を備えているので、人物が歌いながら踊っているなどの場合でも焦点が外れることが無く、また、撮影条件設定手段でカメラの向きを上下左右に移動させたり、ズームさせたりすることが可能となるので、カメラの撮影範囲から外れることがなくなり、撮影の自由度が向上する。
【０００９】
また、合成手段が、クロマキー合成時に削除色相を任意に変更することができるので、人物の服装や背景画像に合わせて削除色相を変更することにより、合成した映像品質を低下させないようにすることができる。
【図面の簡単な説明】
【００１０】
【図１】本発明の一実施形態にかかるカラオケ自動レコーディング装置の構成を示すブロック図である。
【発明を実施するための形態】
【００１１】
次に、本発明の一実施形態を図１を参照して説明する。本発明の一実施形態にかかるカラオケ自動レコーディング装置１は、図１に示すように、合成手段としてのＣＰＵ２と、ＲＡＭ３と、ＲＯＭ４と、記憶手段としてのＨＤＤ５と、カラオケ映像記録手段としてのＤＶＤドライブ６と、カメラ７と、ビデオＩ／Ｆ８と、オーディオＩ／Ｆ９と、撮影条件設定手段としての操作部１０と、モニタ１１と、バス１２と、を備えている。
【００１２】
ＣＰＵ２は、カラオケ自動レコーディング装置１の全体制御をＲＯＭ３やＨＤＤ５などに格納された制御プログラムを実行することで行う。特に、本実施形態では、ビデオＩ／Ｆ８を介して入力されたカメラ７で撮影された映像と、ＨＤＤ５に予め格納されている背景画像とを合成（クロマキー合成）し、合成した映像と、オーディオＩ／Ｆ９を介して入力されるカラオケの伴奏音と、その伴奏音に合わせて歌唱している人物の歌声（歌唱音）と、を合わせた映像データＤＶＤドライブ６に出力し、ＤＶＤドライブ６にセットされているＤＶＤに記録（録画）させる。
【００１３】
ＲＡＭ３は、揮発性のメモリで構成された読み書き可能な記憶素子であり、ＣＰＵ２が各種動作を行う際に発生するデータ等を一時的に格納するワーク領域として使用される。ＲＯＭ４は、不揮発性のメモリで構成された読み出し専用の記憶素子であり、カラオケ自動レコーディング装置１の制御プログラムやパラメータ等が記憶されている。
【００１４】
ＨＤＤ５は、カラオケ自動レコーディング装置１の制御プログラムやカメラ７で撮影され人物と合成するための複数の背景画像などが格納されているハードディスクドライブである。ＤＶＤドライブ６は、ＣＰＵ２で背景と合成された映像に伴奏音と歌唱音を含んだ映像データを記録媒体であるＤＶＤに記録するドライブ装置である。
【００１５】
カメラ７は、図示しないカラオケの伴奏音に合わせて歌唱している人物（歌唱者）を撮影しているビデオカメラであり、撮影した映像はビデオＩ／Ｆ８と、バス１２を介してＣＰＵ２に送られる。
【００１６】
また、カメラ７は、歌唱者に自動的に焦点が合う自動焦点機能を有し、特別な操作をしなくとも自動的に歌唱者に焦点が合うようになっている。また、カメラ７は、ズーム機能（拡大機能）を有し、後述する操作部１０からの操作により任意の倍率でのズームをすることができる。さらに、カメラ７は、図示しない取り付け装置に取り付けられ、該取り付け装置内部に設けられたモータにより撮影方向を左右上下に移動させることができる。この撮影方向の操作は操作部１０で行うことができる。
【００１７】
オーディオＩ／Ｆ９は、図示しないカラオケ装置から出力されたカラオケの伴奏音と歌唱音とをバス１２を介してＣＰＵ２に出力する。なお、伴奏音と歌唱音は両方が合成された音声として入力しても良いし、別々に入力しても良い。
【００１８】
操作部１０は、複数のボタン等が設けられカラオケ自動レコーディング装置１の操作を行う。この操作は、ＤＶＤへの記録の開始／終了や、カメラ７の操作および合成する背景画像の選択並びに合成する際の削除色相の選択などである。なお、操作部１０はリモートコントローラ（リモコン）で構成しても良いし、カラオケ自動レコーディング装置１本体部とリモコンの双方で操作可能としても良い。
【００１９】
モニタ１１は、カラオケ自動レコーディング装置１の操作画面やカメラ７が撮影した映像あるいは合成画像などが表示される表示装置であり、例えば液晶ディスプレイなどで構成される。
【００２０】
このように構成されたカラオケ自動レコーディング装置１は、まず、ＤＶＤドライブ６にＤＶＤのディスクをセットする。そして、操作部１０でモニタ１０に表示される操作画面を参照しながらＨＤＤ５に格納されている背景画像を選択し、録画を開始する操作を行うと、カメラ７は歌唱者の撮影を開始して、ＣＰＵ２で歌唱者と選択した背景画像と合成して伴奏音と歌唱音とを含む映像データとしてＤＶＤドライブ６からＤＶＤに記録する。そして、歌唱が終了したら、操作部１０で録画を終了する操作を行うことでＤＶＤへの記録を終了する。
【００２１】
また、歌唱者が歌唱中は、歌唱者以外の操作者が操作部１０を操作してカメラ７の撮影位置を調節して歌唱者が常に撮影範囲に入るようにしても良い。また、カメラ７のズーム機能を使用して、歌唱者の顔をアップにするようにしても良い。さらには、カメラ７が撮影した歌唱者を任意に消去してもよい。この場合は背景画像のみが記録される。すなわち、これらの操作によって撮影条件を設定している。そして、この撮影条件は最初に設定したら変更しないものではなく録画中に逐次変更しても良いものとする。
【００２２】
また、背景画像の選択時には実際に合成した映像を表示させて選択できるようにしても良い。なお、このときクロマキーで合成する際に削除する色相を任意に選択できるようにしてもよい。ＣＰＵ２では選択された色相を削除色相としてクロマキー合成処理を行う。
【００２３】
本実施形態によれば、カメラ７が、歌唱者に対して自動的に焦点を合わせる自動焦点機能を有し、カメラ７の撮影方向やズームなどの撮影条件を操作部１０で設定できるので、歌唱者が歌いながら踊っているなどの場合でも焦点が外れることが無く、また、操作部１０でカメラ７の向きを上下左右に移動させたり、ズームさせたりすることが可能となるので、撮影の自由度が向上する。
【００２４】
また、ＣＰＵ２によるクロマキー合成時に、操作部１０によって削除色相を任意に変更することができるので、歌唱者の服装や背景画像に合わせて削除色相を変更することで、合成した映像品質を低下させないようにすることができる。
【００２５】
また、上述した実施形態は本発明の代表的な形態を示したに過ぎず、本発明は、実施の形態に限定されるものではない。すなわち、本発明の骨子を逸脱しない範囲で種々変形して実施することができる。
【符号の説明】
【００２６】
１     カラオケ自動レコーディング装置
２     ＣＰＵ（合成手段）
５     ＨＤＤ（記憶手段）
６     ＤＶＤ（カラオケ映像記録手段）
７     カメラ
１０   操作部（撮影条件設定手段）
【図１】
2012008451.tif 000003